(57)【要約】【課題】濾過筒の内側から濾過孔をブラシにより清掃し目詰りを防止する。【解決手段】入口部側のスクリュ羽根６の数ピッチ分程度の周縁に沿って、ブラシ１５が固定され、ブラシ１５は濾過筒８の内周に沿って摺動するようにされている。ブラシ１５は円弧状のブラシ押さえプレート１８を用いてスクリュ羽根６の縁部に沿って並べられ、ボルト２０、ナットによりスクリュ羽根６に固定されている。【選択図】図３
2009142873.tif 000002
【特許請求の範囲】
【請求項１】
駆動手段により回転するスクリュ軸と、該スクリュ軸の外周に螺旋状に設けたスクリュ羽根と、該スクリュ羽根を囲む円筒状の濾過筒とから成り、該濾過筒の両端部に入口部と出口部を設け、前記スクリュ軸と前記スクリュ羽根と前記濾過筒によって囲んだ空間部を前記入口部から前記出口部に向けて減少させ、前記入口部から投入した含水原料を圧搾脱水して前記出口部から脱水ケーキとして排出するスクリュプレスにおいて、前記スクリュ羽根の一部の縁部又は全縁部に沿って、前記濾過筒の内面を摺接する清掃部材を取り付けたことを特徴とするスクリュプレス。
【請求項２】
前記清掃部材は金属製又は硬質合成樹脂製の多数の線材から成るブラシとしたことを特徴とする請求項１に記載のスクリュプレス。
【請求項３】
前記清掃部材は円弧状のブラシ押さえプレートを用いて、前記スクリュ羽根に固定することを特徴とする請求項１又は２に記載のスクリュプレス。
【請求項４】
前記清掃部材は前記ブラシ押さえプレートにより前記スクリュ羽根へ取付位置を調整可能としたことを特徴とする請求項３に記載のスクリュプレス。
【発明の詳細な説明】
【技術分野】
【０００１】
本発明は、例えば魚粕、パルプ、汚泥のような大量の水分を含む含水原料から水分を分離するために用いられるスクリュプレスに関するものである。
【背景技術】
【０００２】
従来のスクリュプレスにおいては、内部の回転スクリュと円筒状に構成した濾過筒とを相対的に回転させながら、濾過筒の入口部から水分を大量に含んだ含水原料を投入する。そして、濾過筒の濾過孔を介して水分を圧搾脱水した後に、脱水された残りの原料は脱水ケーキとして、出口部から排出するようにしたものが一般的である。
【発明の開示】
【発明が解決しようとする課題】
【０００３】
しかし、使用中に濾過筒の脱水孔が目詰りしたり、スクリュ羽根と濾過筒との隙間にケーキが膜状に付着し、脱水効率が低減するという問題がある。
【０００４】
本発明の目的は、上述の問題点を解消し、常時、濾過筒の内側から清掃部材により清掃し、脱水効率の低下を防止するスクリュプレスを提供することにある。
【課題を解決するための手段】
【０００５】
上述の目的を達成するための本発明に係るスクリュプレスは、駆動手段により回転するスクリュ軸と、該スクリュ軸の外周に螺旋状に設けたスクリュ羽根と、該スクリュ羽根を囲む円筒状の濾過筒とから成り、該濾過筒の両端部に入口部と出口部を設け、前記スクリュ軸と前記スクリュ羽根と前記濾過筒によって囲んだ空間部を前記入口部から前記出口部に向けて減少させ、前記入口部から投入した含水原料を圧搾脱水して前記出口部から脱水ケーキとして排出するスクリュプレスにおいて、前記スクリュ羽根の一部の縁部又は全縁部に沿って、前記濾過筒の内面を摺接する清掃部材を取り付けたことを特徴とする。
【発明の効果】
【０００６】
本発明に係るスクリュプレスによれば、濾過筒の内側から清掃部材を摺接して常時清掃するので、この部分における濾過孔の目詰り、ケーキ膜の発生が解消され、脱水効率を高めることができる。
【発明を実施するための最良の形態】
【０００７】
本発明を図示の実施例に基づいて詳細に説明する。
図１は実施例の縦断面図であり、左右の支持台１、２にはスクリュ軸３が軸受け４、５を介して回転自在に支持されている。スクリュ軸３は等径とされ、スクリュ羽根６が出口側に向うにつれ容積が小さくなるようなピッチで、スクリュ軸３に螺旋状に巻回されている。なお、スクリュ軸３は下流側に進むにつれて太くなるテーパ状とし、スクリュ羽根６はそれに対応したピッチでスクリュ軸３に取り付けてもよい。
【０００８】
スクリュ軸３の例えば左端側にはスプロケット７が取り付けられ、このスプロケット７は図示しない駆動モータにチェーンを介して連結されている。なお、スプロケット７を介さずに、駆動モータをスクリュ軸３に直結することもできる。
【０００９】
スクリュ羽根６の外方には、多数の濾過孔を有する例えばパンチングメタルから成る円筒状の濾過筒８が設けられている。スクリュ羽根６の外周はこの濾過筒８の内周にほぼ接しており、濾過筒８の上流側、下流側にはそれぞれ側板９、１０が設けられ、スクリュ軸３はこれらの側板９、１０を貫通している。濾過筒８には両端部に原料の入口部１１と出口部１２が設けられていると共に、多数の補強環１３により補強され、全体は基台１４上に固定されている。
【００１０】
入口部１１側のスクリュ羽根６の例えば数ピッチ分程度の周縁に沿って、金属製や硬質合成樹脂製の線材の集合体から成るブラシ１５が固定されている。ブラシ１５はスクリュ羽根６の動きに伴って、濾過筒８の内周に沿って摺動するようにされている。なお、このブラシ１５を取り付けたスクリュ羽根６の径は他の部分の径よりもやや小さくされている。また、ブラシ１５は入口部１１側のスクリュ羽根６に対して取り付けることが好ましいが、他の個所においても、或いは数個所の縁部、又は全縁部に取り付けてもよい。
【００１１】
図２に示すように、ブラシ１５は予めブラシ束１６として成形され、ボルト孔１７を有する円弧状のブラシ押さえプレート１８を用いてスクリュ羽根６の縁部に沿って並べられる。
【００１２】
図３に示すように、スクリュ羽根６にはボルト孔１９が設けられており、ブラシ束１６を挟んでブラシ押さえプレート１８がボルト２０、ナットによりスクリュ羽根６に固定されている。
【００１３】
脱水に際して、脱水すべき含水原料を入口部１１から濾過筒８内に投入すると、含水原料はスクリュ羽根６によって搬送される際に生ずる抵抗により機械的な脱水作用を受ける。つまり、スクリュ軸３、スクリュ羽根６、濾過筒８で囲まれた空間部の体積は、出口部１２側に進むにつれ徐々に減少されるために、原料は圧搾されて水分が分離され、分離した水分は濾過筒８の濾過孔から漏出する。このようにして、出口部１２に到達した脱水された原料は出口部１２から脱水ケーキとして排出される。
【００１４】
このとき、スクリュ羽根６に取り付けたブラシ１５は、濾過筒８の内面に常時接しながら摺動するので、濾過筒８の目詰り及び清掃をすることになり、この部分における脱水が非効率化することがない。
【００１５】
使用が進むにつれ、ブラシ１５が濾過筒８との摩耗により短かくなると、その分だけブラシ押さえプレート１８をスクリュ羽根６に対して取付位置を移動して、ボルト２０により再固定することにより調整とすればよい。
【００１６】
ブラシ押さえプレート１８のスクリュ羽根６への固定は、入口部１１側面、出口部１２側面の何れでもよい。しかし、ブラシ押さえプレート１８が脱水原料によりスクリュ羽根６に押し付けられるため、スクリュ羽根６の入口部１１側の面に取り付けることが好ましく、強度的に有利である。
【００１７】
なお、ブラシ１５の代りに、ゴム、樹脂、金属の板から成る清掃部材とすることもできる。
【図面の簡単な説明】
【００１８】
【図１】実施例の縦断面図である。
【図２】ブラシ束とブラシ押さえプレートの正面図である。
【図３】ブラシ押さえプレートをスクリュ羽根に固定した状態の正面図である。
【符号の説明】
【００１９】
３  スクリュ軸
６  スクリュ羽根
８  濾過筒
１１  入口部
１２  出口部
１５  ブラシ
１６  ブラシ束
１７、１９  ボルト孔
１８  ブラシ押さえプレート
２０  ボルト
【図１】
2009142873.tif 000003
【図２】
2009142873.tif 000004
【図３】
2009142873.tif 000005